(57)【要約】【課題】  従来、不注意からコードを引っ張ってしまいピンプラグをピンジャックから引き抜いてしまうことも頻発しており、電源をオンさせた状態で引き抜くとスパークしたり、電気電子機器及び周辺機器の極性が変わったり、ＩＣやプリント配線に過電流が流れたり、ノイズが出たりして、悪影響を及ぼす要因と成る。【解決手段】本発明は、ピンジャック１とピンプラグ２とで接続されるロック機能付きコネクタであって、ピンジャックのジャック側挿通孔１２の開口部に形成した羽根用凹部１４と、該羽根用凹部と連通させジャック側挿通孔１２の内周に刻設した摺動用溝部１５と、摺動用溝部に突出させ基端をピンジャック本体１１から突出させたジャック側外部端子１６とを備え、ピンプラグ２のプラグ側外部端子２４の先端辺に羽根用凹部１４に挿入するように突設した羽根２５とを備えた。【選択図】  図１
2005209595.tif 000002
【特許請求の範囲】
【請求項１】
ピンジャックとピンプラグとで接続されるロック機能付きコネクタであって、前記ピンジャックは絶縁部材で形成されたピンジャック本体と、該ピンジャック本体に形成したピンプラグを挿通させるジャック側挿通孔と、該ジャック側挿通孔の底部を貫通して中心に立設させたジャック側中心端子と、前記ジャック側挿通孔の開口部に形成した少なくとも１つの羽根用凹部と、該羽根用凹部と連通させジャック側挿通孔の内周に刻設した摺動用溝部と、該摺動用溝部の奥に先端を突出させ基端をピンジャック本体から突出させたジャック側外部端子とを備え、前記ピンプラグは絶縁部材で形成した略円筒状の絶縁モールドと、該絶縁モールドの中心に形成したジャック側中心端子を挿通させるプラグ側挿通孔と、該プラグ側挿通孔の底部を貫通させると共に内周面に突出するように設けたプラグ側中心端子と、前記絶縁モールドの外周に装着させ基端を前記絶縁モールドの基端側に突出させたプラグ側外部端子と、該プラグ側外部端子の先端辺に前記羽根挿通用凹部に挿入するように突設した少なくとも１つの羽根とを備えたことを特徴とするロック機能付きコネクタ。
【請求項２】
ピンジャックとピンプラグとで接続されるロック機能付きコネクタであって、前記ピンジャックは絶縁部材で形成されたピンジャック本体と、該ピンジャック本体に形成したピンプラグを挿通させるジャック側挿通孔と、該ジャック側挿通孔の底部を貫通して中心に立設させたジャック側中心端子と、前記ジャック側挿通孔の開口部に形成した少なくとも１つの羽根用凹部と、該羽根用凹部と連通させジャック側挿通孔の内周に刻設した摺動用溝部と、該摺動用溝部の奥に先端を突出させ基端をピンジャック本体から突出させたジャック側外部端子と、前記ジャック側挿通孔の内周に突出するようにピンジャック本体に凹所を形成して内装した第２のジャック側外部端子とを備え、前記ピンプラグは絶縁部材で形成した略円筒状の絶縁モールドと、該絶縁モールドの中心に形成したジャック側中心端子を挿通させるプラグ側挿通孔と、該プラグ側挿通孔の底部を貫通させると共に内周面に突出するように設けたプラグ側中心端子と、前記絶縁モールドの外周に装着させ基端を前記絶縁モールドの基端側に突出させたプラグ側外部端子と、該プラグ側外部端子と若干巾を有して前記絶縁モールドの先端辺の外側に露出させると共に基端側を前記絶縁モールドを縦方向に貫通させた第２のプラグ側外部端子と、前記プラグ側外部端子の先端辺に前記羽根挿通用凹部に挿入するように突設した少なくとも１つの羽根とを備えたことを特徴とするロック機能付きコネクタ。
【発明の詳細な説明】
【技術分野】
【０００１】  本発明はロック機能とオンオフ機能とを備えたコネクタに関するものであり、更に詳細には、同軸型のピンプラグとピンジャックとから成り、ピンジャックにピンプラグを差し込んで回動させることにより回路をオン又オフさせると共に抜落防止のためのロック機能を備えたコネクタに関するものである。
【背景技術】
【０００２】  近年、パーソナルコンピュータや、オーディオ機器、携帯電話等の電気電子機器の目覚ましい普及に伴い、それらに付設する周辺機器が増え多数の配線を必要とするようになり、これらの電気電子機器と周辺機器とを電気的に接続するために多数のコードを必要としている。【０００３】  然し乍ら、不注意からコードを引っ張ってしまいピンプラグをピンジャックから引き抜いてしまうことも頻発しており、電源をオンさせた状態でピンプラグをピンジャックから引き抜くとスパークしたり、電気電子機器及び周辺機器の極性が変わったり、ＩＣやプリント配線に過電流が流れたり、ノイズが出たりして、何れにしろ悪影響を及ぼす要因と成っていた。【０００４】  その為に、ロック機能を備えたこの種のコネクタも市販されているが、汎用されているロック機能はピンプラグとピンジャックとの接続部位に凹部と凸部とを形成して、夫々を合着させてロックする機構が採用されており、ピンプラグとピンジャックとのロック機能と、そのロック機能を解除することによって、電気的接続を解除させるスイッチ機構を兼ね備えたコネクタは無かった。【０００５】  例えば、機器の電源をオンさせた状態でピンプラグを抜き差しした場合でもノイズを発生させないピンジャック及びピンプラグとしては、ピンジャックは、中央の信号用ピンソケットの周囲にジャック絶縁材を介して同心状に設けられたアース用のジャックスリーブとよりなり、差し込まれるピンプラグ側に向けてジャックスリーブを付勢するコイルスプリングを有するピンプラグが差し込まれる際、プラグスリーブがジャックスリーブに最初に接触してアース線が最初に短絡させ、その後、ピンがピンソケットに嵌入して信号線が短絡するもの（特許文献１参照）や、更に、外部からの機械的な働きかけや、ケーブルに偶発的に加わる牽引力によっても、部分的な断絶が引き起こされることが少なく、ケーブルと連結固定接点との間で連結するすることができる電気接続装置としては、絶縁電気ケーブルへのはめ込み部と、内側に折れ曲がった脚があり、係合路の断面は内側に向かって小さくなって解放底に至り、その底が所定の通路断面の範囲を限定している管状の接続部と、接続アダプターと、アダプターの接続部が係合し、脚で規定された係合路の通路断面よりも断面の大きい突起刻印を備え、これらの脚を突起刻印の後ろで係合することを可能にする連結固定接点とからなり、連結固定接点が、脚を制止する為に円周に沿って配置された肩状部による突起刻印を備えているもの（特許文献２参照）や、相手側コンタクトプロープが挿入される開口部を設けた外部端子と、回転摺動自在に外部端子内に配置され、相手側コンタクトプロープの中心コンタクトが接触する中心電極パターン及び中心電極パターンに電気的に接続された信号切換用電極パターンを設けた可動接点部材と、外部端子内に固定された状態で配置され、信号切換用電極パターンを設けた固定接点部材とを備え、相手側コンタクトプロープの装着と共に、可動接点部材が回転摺動して可動接点部材の底面に形成された信号切換用電極パターンが接離用電極パターンから解離し、信号経路が切り換わるもの（特許文献３参照）等が開示されている。
【特許文献１】特開平８−２４１７６８号公報（第１頁）
【特許文献２】特開２００２−１１０２７７号公報（第１頁）
【特許文献３】特開２００２−２０８４６０号公報（第１頁）
【発明の開示】
【発明が解決しようとする課題】
【０００６】  然し乍ら、例えば、ピンジャックは、中央の信号用ピンソケットの周囲にジャック絶縁材を介して同心状に設けられたアース用のジャックスリーブとよりなり、差し込まれるピンプラグ側に向けてジャックスリーブを付勢するコイルスプリングを有するピンプラグが差し込まれる際、プラグスリーブがジャックスリーブに最初に接触してアース線が最初に短絡させ、その後、ピンがピンソケットに嵌入して信号線が短絡するものでは、機器の電源をオンさせた状態でピンプラグを抜き差しした場合でもノイズを発生させないものであるが、ロック機能は有していないものである。【０００７】  更に、絶縁電気ケーブルへのはめ込み部と、内側に折れ曲がった脚があり、係合路の断面は内側に向かって小さくなって解放底に至り、その底が所定の通路断面の範囲を限定している管状の接続部と、接続アダプターと、アダプターの接続部が係合し、脚で規定された係合路の通路断面よりも断面の大きい突起刻印を備え、これらの脚を突起刻印の後ろで係合することを可能にする連結固定接点とからなり、連結固定接点が、脚を制止する為に円周に沿って配置された肩状部による突起刻印を備えているものでは、外部からの機械的な働きかけや、ケーブルに偶発的に加わる牽引力によっても、部分的な断絶が引き起こされることが少なく、ケーブルと連結固定接点との間で連結するすることができるものであり、ロック機能は有しているものの電気的接続の解除は電源スイッチの操作を必要としているものであった。【０００８】  更には、相手側コンタクトプロープが挿入される開口部を設けた外部端子と、回転摺動自在に外部端子内に配置され、相手側コンタクトプロープの中心コンタクトが接触する中心電極パターン及び中心電極パターンに電気的に接続された信号切換用電極パターンを設けた可動接点部材と、外部端子内に固定された状態で配置され、信号切換用電極パターンを設けた固定接点部材とを備え、相手側コンタクトプロープの装着と共に、可動接点部材が回転摺動して可動接点部材の底面に形成された信号切換用電極パターンが接離用電極パターンから解離し、信号経路が切り換わるものでは、信号経路は切り替わるもののロック機能は備えていないものであった。
【課題を解決するための手段】
【０００９】  本発明のロック機能付きコネクタは、前述の課題に鑑み、鋭意研鑽の結果、ピンジャックはピンジャック本体と、ピンジャック本体に形成したジャック側挿通孔と、ジャック側挿通孔に立設させたジャック側中心端子と、ジャック側挿通孔の開口部に形成した羽根用凹部と、羽根用凹部と連通させ刻設した摺動用溝部と、摺動用溝部に突出させたジャック側外部端子と、加えて、ジャック側挿通孔の内周に突出するようにピンジャック本体に凹所を形成して内装した第２のジャック側外部端子とを備え、ピンプラグは絶縁モールドと、絶縁モールドに形成したプラグ側挿通孔と、プラグ側挿通孔の底部を貫通させると共に内周面に突出するように設けたプラグ側中心端子と、絶縁モールドの外周に装着させたプラグ側外部端子と、加えて、プラグ側外部端子と若干巾を有して外側に露出させると共に基端側を絶縁モールドを貫通させた第２のプラグ側外部端子と、プラグ側外部端子に突設した羽根とを備えたものである。
【発明の効果】
【００１０】  本発明のロック機能付きコネクタは、ピンプラグをピンジャックに挿通した状態では電気的接続は行われておらず、ピンプラグを回動させることでロックされると共に電気的接続されオン状態となり、ピンプラグをピンジャックより抜くときも、オン状態からピンプラグを回動させることでロックが解除されると共にオン状態からオフ状態に成るものであり、不注意による抜落を防止できると共に、引き抜くときは確実に通電状態が切断されており、電子電気機器に悪影響を及ぼさないもので、画期的で実用性の高い発明である。
【発明を実施するための最良の形態】
【００１１】  本発明はロック機能とオンオフ機能とを備えたコネクタに関するものであり、更に詳細には、同軸型のピンプラグとピンジャックとから成り、ピンジャックにピンプラグを差し込んで回動させることにより回路をオン又オフさせると共に抜落防止のためのロック機能を備えたコネクタに関するものであり、請求項１に記載のロック機能付きコネクタは、ピンジャック１とピンプラグ２とで接続されるロック機能付きコネクタであって、前記ピンジャック１は絶縁部材で形成されたピンジャック本体１１と、該ピンジャック本体１１に形成したピンプラグ２を挿通させるジャック側挿通孔１２と、該ジャック側挿通孔１２の底部を貫通して中心に立設させたジャック側中心端子１３と、前記ジャック側挿通孔１２の開口部に形成した少なくとも１つの羽根用凹部１４と、該羽根用凹部１４と連通させジャック側挿通孔１２の内周に刻設した摺動用溝部１５と、該摺動用溝部１５の奥に先端を突出させ基端をピンジャック本体１１から突出させたジャック側外部端子１６とを備え、前記ピンプラグ２は略円筒状の絶縁部材で形成した絶縁モールド２１と、該絶縁モールド２１の中心に形成したジャック側中心端子１３を挿通させるプラグ側挿通孔２２と、該プラグ側挿通孔２２の底部を貫通させると共に内周面に突出するように設けたプラグ側中心端子２３と、前記絶縁モールド２１の外周に装着させ基端を前記絶縁モールド２１の基端側に突出させたプラグ側外部端子２４と、該プラグ側外部端子２４の先端辺に前記羽根用凹部１４に挿入するように突設した少なくとも１つの羽根２５とを備えたものである。【００１２】  更に、請求項２に記載のロック機能付きコネクタは、ピンジャック１とピンプラグ２とで接続されるロック機能付きコネクタであって、前記ピンジャック１は絶縁部材で形成されたピンジャック本体１１と、該ピンジャック本体１１に形成したピンプラグ２を挿通させるジャック側挿通孔１２と、該ジャック側挿通孔１２の底部を貫通して中心に立設させたジャック側中心端子１３と、前記ジャック側挿通孔１２の開口部に形成した少なくとも１つの羽根用凹部１４と、該羽根用凹部１４と連通させジャック側挿通孔１２の内周に刻設した摺動用溝部１５と、該摺動用溝部１５の奥に先端を突出させ基端をピンジャック本体１１から突出させたジャック側外部端子１６と、前記ジャック側挿通孔１２の内周に突出するようにピンジャック本体１１に凹所１７を形成して内装した第２のジャック側外部端子１８とを備え、前記ピンプラグ２は絶縁部材で形成した略円筒状の絶縁モールド２１と、該絶縁モールド２１の中心に形成したジャック側中心端子１３を挿通させるプラグ側挿通孔２２と、該プラグ側挿通孔２２の底部を貫通させると共に内周面に突出するように設けたプラグ側中心端子２３と、前記絶縁モールド２１の外周に装着させ基端を前記絶縁モールド２１の基端側に突出させたプラグ側外部端子２４と、該プラグ側外部端子２４と若干巾を有して前記絶縁モールド２１の先端辺の外側に露出させると共に基端側を前記絶縁モールド２１を縦方向に貫通させた第２のプラグ側外部端子２６と、前記プラグ側外部端子２４の先端辺に前記羽根用凹部１４に挿入するように突設した少なくと��１つの羽根２５とを備えたものである。
【実施例】
【００１３】  以下、本発明のロック機能付きコネクタの実施例の図面を用いて詳細に説明すると、図１は本発明のロック機能付きコネクタの実施例のピンジャックの概要を説明するための断面とした正面図であり、図２は本発明のロック機能付きコネクタの実施例のピンジャックの概要を説明するための断面とした側面図であり、図３は本発明のロック機能付きコネクタの実施例１のピンプラグの概要を説明するための断面とした正面図であり、図４は本発明のロック機能付きコネクタの実施例１のピンプラグの概要を説明するための断面とした側面図であり、図５は本発明のロック機能付きコネクタの実施例２のピンプラグの概要を説明するための断面とした正面図であり、図６は本発明のロック機能付きコネクタの実施例２のピンプラグの概要を説明するための断面とした側面図である。【００１４】  即ち、本発明のロック機能付きコネクタは、図１及び図２に図示するピンジャック１に図３及び図４に図示する実施例１のピンプラグ２を挿通させて回動することによりロックさせると共に電気的に接続させるものであり、この場合、２極のコネクタと成るものであり、又は、図１及び図２に図示するピンジャック１に図５及び図６に図示する実施例２のピンプラグ２を挿通させて回動することによりロックさせると共に電気的に接続させるものであり、この場合、３極のコネクタと成るものである。【００１５】  そして、ピンジャック１のピンジャック本体１１は図１及び図２に図示する如く、合成樹脂等の絶縁部材で形成されているもので製造や組立のことを考慮して複数のパーツから形成され接着や溶着等の手段により一体化するものであり、電子電気機器や周辺機器（図示しない）等の表面に後述するジャック側挿通孔１２の開口部を露出させて付設されるものである。【００１６】  次に、ジャック側挿通孔１２は後述するピンプラグ２を挿通させるものであり、ピンジャック本体１１の略中央に形成しているものであり、中心には後述するジャック側中心端子１３を立設させているものである。【００１７】  次いで、ジャック側中心端子１３は通電性の金属で形成されジャック側挿通孔１２の底部を貫通して中心に立設させており基端をピンジャック本体１１の外方に露出させて電子電気機器に備えたリード線（図示しない）と半田付け等の手段によって接続する接続用端子片１３ａを延設しているものである。【００１８】  更に、羽根用凹部１４はジャック側挿通孔１２の開口部に形成しているもので、実施例では２つ形成しているものであるが、１つでも２つ以上でも構わないものであり、ジャック側挿通孔１２の開口部の表面から基端側に略矩形状に刻設し、下方は後述する摺動用溝部１５と連通させているものであり、後述するプラグ側外部端子２４の先端辺に突設した羽根２５を挿入するものである。【００１９】  更には、摺動用溝部１５は羽根用凹部１４と連通させてジャック側挿通孔１２の内周の周方向に刻設しているもので、羽根用凹部１４に挿通した後述する羽根２５を円周方向に摺動させるものである。【００２０】  次に、ジャック側外部端子１６は通電性の金属で形成され先端を摺動用溝部１５に突出させているもので、基端側はピンジャック本体１１の壁面を貫通させて電子電気��器等に備えたリード線（図示しない）と半田付け等の手段によって接続する接続用端子片１６ａを延設しているものである。【００２１】  そして、図３及び図４に図示する如く、実施例１のピンプラグ２の絶縁モールド２１は合成樹脂等の絶縁部材で形成した底部を有する略円筒状のもので、後述するプラグ側中心端子２３とプラグ側外部端子２４とを装着させると共に、基端側を後述するキャップ２７に挿通させているものである。【００２２】  次いで、プラグ側挿通孔２２は絶縁モールド２１の中心に形成しものでジャック側中心端子１３を挿通させると共に、内周に後述するプラグ側中心端子２３を内装するものである。【００２３】  更に、プラグ側中心端子２３は通電性の金属で形成した先端側は略Ｕ字状に対峙させたジャック側中心端子１３との接点部と、基端側はコードの先端のリード線（図示しない）と半田付け等の手段で接続する接続用端子片２３ａを延設しているものであり、接続用端子片２３ａはプラグ側挿通孔２２の底部を貫通させると共に、接点部はプラグ側挿通孔２２の内周面に凹溝を形成して内装しており、プラグ側中心端子２３の材料特性の弾性によってプラグ側挿通孔２２の内周面から内側に突出するように内装されているものである。【００２４】  更には、プラグ側外部端子２４は通電性の金属で略管状に形成されたもので絶縁モールド２１の中央辺の外周に装着させるもので、基端側にはコードの先端のリード線（図示しない）と半田付け等の手段で接続する接続用端子片２４ａを絶縁モールド２１の外周に沿って基端側に延設すると共に、後述するキャップ２７の先端内側に形成した螺条と螺合する螺子部を形成しているものであるが、キャップ２７を備えない場合は螺子部は必要ないものである。【００２５】  次に、羽根２５は実施例では２つ突設しているものであるが、１つでも２つ以上でも構わないもので、プラグ側外部端子２４の先端辺の水平方向に突設した略矩形板状のものであり、ジャック側挿通孔１２の開口部に合致させて形成したの羽根用凹部１４に挿入するものである。【００２６】  次いで、図示する実施例では筒状のキャップ２７を備えており、筒状のキャップ２７の先端側には絶縁モールド２１の基端側を挿通させ、筒状のキャップ２７の基端側には周辺機器等からのコード（図示しない）の先端を挿通させるもので、先端側にはプラグ側外部端子２４の基端側に螺設した螺子部と螺合する螺子部を螺設しているものであるが、キャップ２７は任意のものである。【００２７】  つまり、本発明のロック機能付きコネクタは電子電気機器や周辺機器等に装着されたピンジャック１のジャック側挿通孔１２にピンプラグ２を挿通させるものであり、挿通させるとピンプラグ２の絶縁モールド２１のプラグ側挿通孔２２にジャック側中心端子１３が挿入され夫々の接点で接触すると共に、絶縁モールド２１の外周に装着させたプラグ側外部端子２４に突設した羽根２５がジャック側挿通孔１２の開口部に形成した羽根用凹部１４に挿入するもので、挿入した状態で回動させると羽根２５が摺動用溝部１５を摺動してロック状態と成ると共に、羽根２５が接点となり摺動用溝部１５の奥に突出させたジャック側外部端子１６の接点と接触して通電状態となるものである。【００２８】  この場合、ピンプラグ２に延設されたコードを不用意に引っ張ってもプラグ側外部端子２４に突設した羽根２５が摺動用溝部１５に位置してるため抜けることなくロック機能を有する共に、通電状態が維持されるものである。【００２９】  そして、ピンプラグ２をピンジャック１から抜く場合は、ピンプラグ２を回動させて羽根２５を羽根用凹部１４の位置に合わせて手前に引き抜くものであるが、ピンプラグ２を回動きせることによってジャック側外部端子１６とプラグ側外部端子２４に突設した羽根２５が離間して電気的接続は切断されるもので、この状態で取り外すことも、挿通状態にしておくこともでき、不用意に引き抜いてもオフ状態と成っているものである。【００３０】  次に、実施例２の３極コネクタは、前述した実施例１の２極コネクタに更に極を加えるものであるが、基本的な構成は同じであるので省略するものである。【００３１】  即ち、ピンジャック１にはピンジャック本体１１とジャック側挿通孔１２とジャック側中心端子１３と羽根用凹部１４と摺動用溝部１５とジャック側外部端子１６とは実施例１と同様に設けており、加えて、第２のジャック側外部端子１８をジャック側挿通孔１２の内周に突出するようにピンジャック本体１１に凹所１７を形成し、該凹所１７に導電性の金属で略Ｕ字状に屈曲させて内装しており、リード線（図示しない）と接続する接続用端子片１６ａはピンジャック本体１１を貫通させて延設しているものである。【００３２】  更に、ピンプラグ２は絶縁モールド２１とプラグ側挿通孔２２とプラグ側中心端子２３とプラグ側外部端子２４と羽根２５とは実施例１と同様に設けており、加えて、図５及び図６に図示するように、第２のプラグ側外部端子２６は絶縁モールド２１の中央辺に装着させたプラグ側外部端子２４と若干巾を有して先端辺の外側に露出させているもので、基端側は絶縁モールド２１を縦方向に貫通させコードのリード線（図示しない）と接続する接続用端子片２６ａを延設しているものである。【００３３】  この場合、３極コネクタと成るものであり、ピンジャック１の羽根用凹部１４にピンプラグ２の羽根２５を合致させて挿通させると、ジャック側中心端子１３とプラグ側中心端子２３との夫々の接点は接触し、第２のジャック側外部端子１８と第２のプラグ側外部端子２６との夫々の接点は接触するものであるが、プラグ側外部端子２４に突設した羽根２５と摺動用溝部１５に突出させたジャック側外部端子１６の接点は離間しており、オフ状態にあるものである。【００３４】  そして、ピンプラグ２を回動させることによって羽根２５は摺動用凹部１５を摺動して摺動用凹部１５の奥に突出させたジャック側外部端子１６の接点と接触してオン状態となるものである。【００３５】  次に、ピンプラグ２をピンジャック１から抜く場合は、ピンプラグ２を回動させて羽根２５を羽根用凹部１４の位置に合わせて手前に引き抜くものであるが、ピンプラグ２を回動させることによってジャック側外部端子１６とプラグ側外部端子２４に突設した羽根２５が離間して電気的接続は切断されるもので、この状態で取り外すことも、挿通状態にしておくこともでき、不用意に引き抜いてもオフ状態と成っているものである。��００３６】  尚、ピンジャック１は２極用に形成して２極用のピンプラグ２を用いて接続しても、３極用に形成して１極を接続しないことで２極用のピンプラグ２を挿通させて２極用コネクタとして使用できるものである。
【産業上の利用可能性】
【００３７】  本発明のロック機能付きコネクタは、パーソナルコンピュータ、ワードプロセッサ、コピー機等のＯＡ機器等の使用が頻繁なオフィス等に用いるテーブルコネクタ等のコネクタに好適なものである。
【図面の簡単な説明】
【００３８】
【図１】  図１は本発明のロック機能付きコネクタの実施例のピンジャックの概要を説明するための断面とした正面図である。
【図２】  図２は本発明のロック機能付きコネクタの実施例のピンジャックの概要を説明するための断面とした側面図である。
【図３】  図３は本発明のロック機能付きコネクタの実施例１のピンプラグの概要を説明するための断面とした正面図である。
【図４】  図４は本発明のロック機能付きコネクタの実施例１のピンプラグの概要を説明するための断面とした側面図である。
【図５】  図５は本発明のロック機能付きコネクタの実施例２のピンプラグの概要を説明するための断面とした正面図である。
【図６】  図６は本発明のロック機能付きコネクタの実施例２のピンプラグの概要を説明するための断面とした側面図である。
【符号の説明】
【００３９】  １      ピンジャック
１１    ピンジャック本体
１２    ジャック側挿通孔
１３    ジャック側中心端子
１３ａ  接続用端子片
１４    羽根用凹部
１５    摺動用溝部
１６    ジャック側外部端子
１６ａ  接続用端子片
１７    凹所
１８    第２のジャック側外部端子
２      ピンプラグ
２１    絶縁モールド
２２    プラグ側挿通孔
２３    プラグ側中心端子
２３ａ  接続用端子片
２４    プラグ側外部端子
２４ａ  接続用端子片
２５    羽根
２６    第２のプラグ側外部端子
２６ａ  接続用端子片
２７    キャップ
【図１】
2005209595.tif 000003
【図２】
2005209595.tif 000004
【図３】
2005209595.tif 000005
【図４】
2005209595.tif 000006
【図５】
2005209595.tif 000007
【図６】
2005209595.tif 000008